(57)【要約】【課題】簡易な施工であっても、扉体の回動動作を確保し得るように起伏ゲートを設置すること。【解決手段】起伏ゲート１の設置方法は、支持部１６と、基端１２が支持部１６に回動自在に支持され、倒伏状態から回動して起立する扉体１０とを備えた起伏ゲート１の設置方法であり、倒伏時に支持部１６および扉体１０のうち扉体１０の下面１４が接地する接地面２５を形成する面形成工程と、支持部１６と扉体１０とが連結された状態で、扉体１０の下面１４を接地面２５に接地させ扉体１０を接地面２５に仮置きする仮置き工程と、扉体１０が接地面２５に仮置きされた状態で、支持部１６を固定する固定工程とを備えている。【選択図】図１
2019196659.tif 000002
【特許請求の範囲】
【請求項１】
支持部と、基端が該支持部に回動自在に支持され、倒伏状態から回動して起立する扉体とを備えた起伏ゲートの設置方法であって、
倒伏時に前記支持部および前記扉体のうち前記扉体の下面が接地する接地面を形成する面形成工程と、
前記支持部と前記扉体とが連結された状態で、前記扉体の下面を前記接地面に接地させ前記扉体を前記接地面に仮置きする仮置き工程と、
前記扉体が前記接地面に仮置きされた状態で、前記支持部を固定する固定工程とを備えている
ことを特徴とする起伏ゲートの設置方法。
【請求項２】
請求項１に記載の起伏ゲートの設置方法において、
前記面形成工程では、基礎コンクリートから所定高さの位置において複数の支持桁を水平面方向に配置した後、上面が前記接地面を構成するパネルを前記支持桁の上面に配置する
ことを特徴とする起伏ゲートの設置方法。
【請求項３】
請求項１に記載の起伏ゲートの設置方法において、
前記仮置き工程の後に、前記接地面の高さを調整機構によって調整する調整工程を備えている
ことを特徴とする起伏ゲートの設置方法。
【請求項４】
請求項１に記載の起伏ゲートの設置方法において、
前記起伏ゲートは、基礎コンクリートから所定高さの位置に配置され、前記支持部の下面と接するベース板を有し、
前記固定工程では、前記支持部と前記ベース板とをボルトによって結合し、
前記ベース板の上面よりも低い位置までコンクリートを打設する打設工程を備えている
ことを特徴とする起伏ゲートの設置方法。
【請求項５】
請求項４に記載の起伏ゲートの設置方法において、
前記支持部は、前記扉体の幅方向に間隔を置いて複数設けられており、
前記起伏ゲートは、前記複数の支持部を互いに連結して一体化する連結部材を有している
ことを特徴とする起伏ゲートの設置方法。
【請求項６】
支持部と、基端が該支持部に回動自在に支持され、倒伏状態から回動して起立する扉体とを備えた起伏ゲートであって、
倒伏時に前記支持部および前記扉体のうち前記扉体の下面が接地する接地面を有する接地部と、
前記支持部と前記扉体とが連結され、前記扉体の下面を前記接地面に接地させた状態で、前記支持部を固定する固定部とを備えている
ことを特徴とする起伏ゲート。
【請求項７】
請求項６に記載の起伏ゲートにおいて、
前記固定部は、上面が露出する状態でコンクリートに埋設され、前記上面に前記支持部が配置され前記支持部とボルトによって結合されるベース板を有している
ことを特徴とする起伏ゲート。
【発明の詳細な説明】
【技術分野】
【０００１】
本願は、起伏ゲートおよびその設置方法に関する。
【背景技術】
【０００２】
洪水や津波による浸水を防止するための起伏ゲート（フラップゲート）が例えば特許文献１に開示されている。この起伏ゲートは、支持部と、基端が支持部に回動自在に支持された扉体とを備えている。起伏ゲートでは、通常時は扉体が基礎地盤に接地して倒伏しており、非常時（浸水時）には扉体が回動して起立する。
【先行技術文献】
【特許文献】
【０００３】
【特許文献１】特許第５５８０７８５号公報
【発明の概要】
【発明が解決しようとする課題】
【０００４】
ところで、倒伏時に扉体が接地する基礎地盤は、コンクリートで形成され、表面にある程度の凹凸が形成されるのが一般的である。そのため、扉体が回動する際、扉体の基端側の下面が基礎地盤と接触して回動動作が妨げられる場合がある。その場合、扉体の回動時に扉体の下面が基礎地盤と接触しないように、基礎地盤の表面の凸部を削る等の作業が必要となる。そのため、起伏ゲートの設置作業において非常に手間が掛かってしまう。
【０００５】
本願に開示の技術は、かかる事情に鑑みてなされたものであり、その目的は、簡易な施工であっても、扉体の回動動作を確保し得るように起伏ゲートを設置することにある。
【課題を解決するための手段】
【０００６】
本願に開示の技術は、支持部と、基端が該支持部に回動自在に支持され、倒伏状態から回動して起立する扉体とを備えた起伏ゲートの設置方法に係るものである。本願の起伏ゲートの設置方法は、面形成工程と、仮置き工程と、固定工程とを備えている。前記面形成工程は、倒伏時に前記支持部および前記扉体のうち前記扉体の下面が接地する接地面を形成する工程である。前記仮置き工程は、前記支持部と前記扉体とが連結された状態で、前記扉体の下面を前記接地面に接地させ前記扉体を前記接地面に仮置きする工程である。前記固定工程は、前記扉体が前記接地面に仮置きされた状態で、前記支持部を固定する工程である。
【０００７】
本願に開示の別の技術は、支持部と、基端が該支持部に回動自在に支持され、倒伏状態から回動して起立する扉体とを備えた起伏ゲートの設置構造に係るものである。本願の起伏ゲートの設置構造は、接地部と、固定部とを備えている。前記接地部は、倒伏時に前記支持部および前記扉体のうち前記扉体の下面が接地する接地面を有している。前記固定部は、前記支持部と前記扉体とが連結され、前記扉体の下面を前記接地面に接地させた状態で、前記支持部を固定するものである。
【発明の効果】
【０００８】
本願の起伏ゲートの設置方法および設置構造によれば、簡易な施工であっても、扉体の回動動作を確保し得るように起伏ゲートを設置することができる。
【図面の簡単な説明】
【０００９】
【図１】図１は、実施形態に係る起伏ゲートの倒伏時の概略構成を側面側から視て示す図である。
【図２】図２は、実施形態に係る起伏ゲートの倒伏時の概略構成を示す平面図である。
【図３】図３は、実施形態に係る設置方法の面形成工程の一状態を示す図である。
【図４】図４は、実施形態に係る設置方法の面形成工程の一状態を示す図である。
【図５】図５は、実施形態に係る設置方法の仮置き工程および調整工程を示す図である。
【図６】図６は、実施形態に係る設置方法の第１打設工程を示す図である。
【図７】図７は、実施形態に係る設置方法の固定工程の一状態を示す図である。
【図８】図８は、実施形態に係る設置方法の固定工程の一状態を示す図である。
【図９】図９は、実施形態に係る設置方法の第２打設工程を示す図である。
【図１０】図１０は、実施形態の変形例に係る設置方法の面形成工程を示す図である。
【図１１】図１１は、実施形態の変形例に係る設置方法の仮置き工程および固定工程を示す図である。
【発明を実施するための形態】
【００１０】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１１】
本実施形態の起伏ゲート１は、路面Ｒ（陸上）に設置され、洪水や津波、大雨によって水が生活空間や地下空間に浸入するのを防止するものである。起伏ゲート１は、浸入しようとする水を利用して自動的に起立動作および倒伏動作を行う浮体式起伏ゲート（浮体式のフラップゲートとも呼ばれることもある）である。図１および図２に示すように、起伏ゲート１は、扉体１０と、支持部１６と、連結部材１８と、接地部２０と、固定部３０とを備えている。
【００１２】
扉体１０は、略矩形体に形成されている。扉体１０は、基端１２が支持部１６に回動自在に支持されており、倒伏状態から回動軸Ｘを中心に回動して先端１１側が起立する。即ち、起伏ゲート１では、図１に矢印で示すように、右回りに回動することで起立動作を行い、左回りに回動することで倒伏動作を行う。扉体１０は、通常時は倒伏した状態（図１に実線で示す状態）になっており、非常時（即ち、水が浸入してきたとき）には浸入水の浮力によって倒伏状態から回動し起立した状態（図１に二点鎖線で示す状態）になるように構成されている。倒伏状態では、回動軸Ｘは、上下流方向において扉体１０の下面１４の下流端よりも下流側の位置または該下流端と同じ位置に設けられている。
【００１３】
なお、図１において水は左側から浸入するものとする。また、以降で記載する「上流側」および「下流側」とは、水の浸入方向における上流側（図１において左側）および下流側（図１において右側）を意図する。
【００１４】
支持部１６は、略箱形に形成され、扉体１０の幅方向に間隔を置いて複数（本実施形態では、３つ）設けられている。連結部材１８は、３つの支持部１６を互いに連結して一体化するものである。連結部材１８は、各支持部１６の下流側端部に設けられ、概ね扉体１０の幅方向に亘って延びている。本実施形態では、連結部材１８として溝形鋼（いわゆるチャンネル鋼）が用いられているが、平板等の他の形状の鋼材を用いてもよい。
【００１５】
扉体１０および支持部１６は、格納部Ｓに設けられている。格納部Ｓは、路面Ｒに形成された凹部であり、倒伏時に扉体１０が格納される。扉体１０が格納部Ｓに格納された状態、即ち扉体１０が倒伏した状態では、扉体１０の下面１４が後述する接地部２０の接地面２５と接地する一方、扉体１０の上面１３が路面Ｒと面一（即ち、同じ高さ。以降も同様。）となる。つまり、通常時は、路面Ｒを通行する車両や人は扉体１０の上面１３を通行することになる。
【００１６】
接地部２０は、上述したように、倒伏時に扉体１０および支持部１６のうち扉体１０の下面１４が接地する接地面２５を有している。具体的に、接地部２０は、アンカーボルト２１と、調整ナット２２と、支持桁２３と、パネル２４と、調整ボルト２６とを有している。
【００１７】
支持桁２３は、格納部Ｓの底部である基礎コンクリートＢから所定高さに設けられ、上下流方向に延びている。支持桁２３は、扉体１０の幅方向に間隔を置いて複数（本実施形態では、８本）設けられている。こうして複数の支持桁２３は、水平面方向に配置されている。より詳しくは、基礎コンクリートＢに敷設されたアンカーボルト２１に調整ナット２２が挿入され、その上に支持桁２３が挿入されている。支持桁２３は、調整ナット２２によって所定高さに支持されている。つまり、調整ナット２２は、自身の配置高さを変更することで支持桁２３の配置高さを調整する調整機構である。本実施形態では、支持桁２３として山形鋼（いわゆるアングル鋼）を用いているが、その他の形状の鋼材を用いてもよい。
【００１８】
パネル２４は、一定の厚さを有する矩形体状のコンクリートパネルである。パネル２４は、支持桁２３の上面に複数配置されており、支持桁２３と支持桁２３との間に跨って設けられている。こうして配置された複数のパネル２４の上面は、平坦面である上述した接地面２５を構成しており、互いに面一となっている。パネル２４は、扉体１０の下面１４の概ね全体に対応する領域に配置されている。コンクリートパネルは、既製品であるため、一定厚さや平坦度の確保が容易である。本実施形態では、パネル２４として、コンクリートパネルを用いているが、上面が平坦で一定厚さを確保し得るものであればその他の材質のものであってもよい。
【００１９】
調整ボルト２６は、支持桁２３に取り付けられている。調整ボルト２６は、支持桁２３におけるパネル２４が配置される一辺に下方から挿入されている。調整ボルト２６は、上方へねじ込むことにより、パネル２４を直接押し上げるようになっている。調整ボルト２６は、１つのパネル２４について複数箇所に設けられており、パネル２４を部分的且つ個別に押し上げることができる。調整ボルト２６は、接地面２５と扉体１０の下面１４との必要な接触（接地）度合いを確保するためにパネル２４の配置高さ（接地面２５の高さ）を調整する調整機構である。
【００２０】
固定部３０は、支持部１６および連結部材１８を固定するものである。より詳しくは、固定部３０は、支持部１６が連結された扉体１０の下面１４を接地部２０の接地面２５に接地させた状態で、支持部１６および連結部材１８を固定する。具体的に、固定部３０は、アンカーボルト３１，３５と、調整ナット３２，３６と、固定ナット３３，３７と、ベース板３４とを有している。
【００２１】
ベース板３４は、格納部Ｓの底部である基礎コンクリートＢから所定高さに設けられ、上面に支持部１６が配置され支持部１６とボルトによって結合されている。ベース板３４は、扉体１０の幅方向に間隔を置いて複数（支持部１６と同数の３つ）設けられている。より詳しくは、基礎コンクリートＢに敷設されたアンカーボルト３１に、順に、調整ナット３２、ベース板３４、支持部１６および固定ナット３３が順に挿入されている。支持部１６およびベース板３４は、調整ナット３２と固定ナット３３によって挟持されることにより固定されている。連結部材１８も同様に、アンカーボルト３５に挿入され、上下の調整ナット３６と固定ナット３７によって挟持され固定されている。調整ナット３２，３６は、自身の配置高さを変更することで支持部１６および連結部材１８の配置高さを調整する調整機構である。
【００２２】
〈起伏ゲートの設置方法〉
上述した起伏ゲート１の設置方法について図３〜図９を参照しながら説明する。起伏ゲート１の設置方法は、面形成工程と、仮置き工程と、調整工程と、固定工程と、打設工程（第１打設工程および第２打設工程）とを備えている。
【００２３】
先ず、面形成工程が行われる。面形成工程は、格納部Ｓに接地部２０を設ける工程、即ち倒伏時に扉体１０および支持部１６のうち扉体１０の下面１４が接地する接地面２５を形成する工程である。
【００２４】
図３に示すように、面形成工程では、先ず、基礎コンクリートＢにアンカーボルト２１が敷設される。次いで、アンカーボルト２１に、調節ナット２２および支持桁２３が順に挿入される。そして、支持桁２３は調節ナット２２によって所定高さに配置される。こうして、支持桁２３が、基礎コンクリートＢから所定高さの位置で水平面方向に配置される。次いで、図４に示すように、支持桁２３の上面にパネル２４が配置される。ここで、各パネル２４の接地面２５（上面）は互いに面一となっており、平坦な接地面２５が形成される。
【００２５】
面形成工程が終了すると、仮置き工程が行われる。仮置き工程は、図５に示すように、扉体１０と支持部１６とが連結された状態で、扉体１０の下面１４を接地面２５に接地させ扉体１０を接地面２５に仮置きする工程である。ここで、連結部材１８は、複数の支持部１６の回動軸Ｘを一致させるために複数の支持部１６を一体化している。連結部材１８は、予め工場の組み立て時に支持部１６に取り付けられる。そのため、接地面２５に扉体１０が仮置きされた状態では、各支持部１６の回動軸Ｘは一致している。なお、面形成工程および仮置き工程には、後述する、接地面２５と扉体１０との接触度合いの調整や接地面２５の水平度の調整は含まれない。
【００２６】
仮置き工程が終了すると、調整工程が行われる。調整工程は、パネル２４の配置高さ（接地面２５の高さ）を調整機構によって調整する工程である。扉体１０の下面１４は、製作時の溶接等により撓みが生じている場合がある。その場合、扉体１０が接地面２５に仮置きされた状態では、接地面２５と扉体１０の下面１４との間には部分的に隙間が生じる。そうすると、接地面２５と扉体１０の下面１４との必要な接触（接地）度合いを確保できない虞がある。両者の接触度合いが不十分な場合、倒伏時において扉体１０の上面１３に作用する輪荷重や群衆荷重が基礎コンクリートＢに適切に伝達されなくなる可能性がある。
【００２７】
そこで、本実施形態の調整工程では、接地面２５と扉体１０の下面１４との必要な接触度合いを確保するために、調整ボルト２６によってパネル２４の配置高さを調整する（以下、接触度合いの調整ともいう。）。つまり、扉体１０の下面１４と離隔しているパネル２４の接地面２５（上面）が、扉体１０の下面１４に接触するように、調整ボルト２６によってパネル２４が部分的に押し上げられる。次いで、扉体１０、支持部１６および接地面２５が水平となるように、調整ナット２２によって支持桁２３の配置高さを調整する（以下、水平度の調整ともいう。）。以上のようにして、接地面２５と扉体１０の下面１４との必要な接触度合いが確保されると共に、扉体１０、支持部１６および接地面２５の水平度が確保される。
【００２８】
調整工程が終了すると、第１打設工程（打設工程）が行われる。第１打設工程は、図６に示すように、接地部２０の設置箇所に無収縮モルタルＭを打設する工程である。無収縮モルタルＭは、パネル２４の下面よりも高い位置で且つパネル２４の接地面２５（上面）よりも低い位置まで打設される。つまり、無収縮モルタルＭは支持桁２３の上面よりも高い位置まで打設される。パネル２４は、接地面２５を含む上部が露出した状態で無収縮モルタルＭに埋設され固定される。また、支持桁２３は、無収縮モルタルＭに埋設されるため、錆による腐食を抑制することができる。
【００２９】
第１打設工程が終了すると、固定工程が行われる。固定工程は、扉体１０が接地面２５に仮置きされた状態で、支持部１６および連結部材１８を固定する工程である。図７に示すように、固定工程では、先ず、アンカーボルト３１，３５が支持部１６および連結部材１８のボルト孔に合わせて基礎コンクリートＢに敷設される。なお、図７では、図示していないが、アンカーボルト３１，３５を敷設する際には、調整ナット３２，３６およびベース板３４がアンカーボルト３１，３５に挿入されている。
【００３０】
次いで、図８に示すように、支持部１６では、ベース板３４を支持部１６の下面１７に接触させて調整ナット３２で位置決めし、固定ナット３３を締め付ける。これにより、ベース板３４が基礎コンクリートＢから所定高さの位置において支持部１６の下面１７に接触して配置され、支持部１６とベース板３４とがボルトによって結合される。連結部材１８では、調整ナット３６および固定ナット３７で挟持されて固定される。
【００３１】
固定工程が終了すると、第２打設工程（打設工程）が行われる。第２打設工程は、図９に示すように、固定部３０の設置箇所に無収縮モルタルＭを打設する工程である。支持部１６に対応する固定部３０では、無収縮モルタルＭは、ベース板３４の下面よりも高い位置で且つベース板３４の上面よりも低い位置まで打設される。連結部材１８に対応する固定部３０では、連結部材１８の下方および内部に無収縮モルタルＭが打設される。こうして、支持部１６および連結部材１８が無収縮モルタルＭに埋設され固定される。
【００３２】
以上のように、上記実施形態の起伏ゲート１の設置方法では、倒伏時に扉体１０の下面１４が接地する接地面２５を形成した後、接地面２５に扉体１０の下面１４を接地させた状態で、支持部１６を固定するようにした。そのため、扉体１０が回動する際、扉体１０の下面１４が接地面２５と接触することによって扉体１０の回動動作が妨げられる事態を未然に防止することができる。したがって、簡易な施工であっても、扉体１０の回動動作を確保することができる。つまり、例えば接地面を削る等の作業を行わなくても、扉体１０の回動動作を確保し得るように起伏ゲート１を設置することができる。
【００３３】
また、上記実施形態の起伏ゲート１の設置方法では、複数の支持桁２３を水平面方向に配置した後、上面が接地面２５を構成するパネル２４を支持桁２３の上面に配置するようにした。この構成によれば、パネル２４としてコンクリートパネル等の既製品を用いることにより、接地面２５の平坦度を容易に確保することができる。
【００３４】
また、上記実施形態の起伏ゲート１の設置方法では、パネル２４の下面よりも高い位置で且つパネル２４の上面（接地面２５）よりも低い位置までコンクリート（無収縮モルタルＭ）を打設するようにした。そのため、接地面２５（上面）を露出させた状態でパネル２４を固定することができる。
【００３５】
また、上記実施形態の起伏ゲート１の設置方法では、扉体１０の下面１４と離隔している接地面２５が扉体１０の下面１４に接触するように、調整ボルト２６（調整機構）によってパネル２４の配置高さ（接地面２５の高さ）を調整するようにした。さらに、扉体１０、支持部１６および接地面２５が水平となるように、複数の支持桁２３の各々の配置高さを調整ナット２２（調整機構）によって調整するようにした。そのため、接地面２５と扉体１０の下面１４との必要な接触度合いを確保することができると共に、扉体１０、支持部１６および接地面２５の水平度を確保することができる。これにより、扉体１０の上面１３に作用する輪荷重および群衆荷重を適切に接地部２０ないし基礎コンクリートＢに伝達することができる。
【００３６】
また、上記実施形態の起伏ゲート１の設置方法では、ベース板３４を支持部１６の下面１７に接触させて配置した後、支持部１６とベース板３４とをボルトによって結合するようにした。そして、上記の設置方法では、ベース板３４の上面よりも低い位置までコンクリート（無収縮モルタルＭ）を打設するようにした。そのため、コンクリートを除去等することなく、固定ナット３３を外すだけで支持部１６の交換を行うことができる。
【００３７】
また、上記実施形態の起伏ゲート１は、複数の支持部１６を互いに連結して一体化する連結部材１８を有している。そのため、予め工場の組み立て時に各支持部１６の回動軸Ｘを一致させた状態で複数の支持部１６を連結部材１８で連結しておくことにより、現場での支持部１６の位置決めが容易となる。
【００３８】
（実施形態の変形例）
上記実施形態の変形例について図１０および図１１を参照しながら説明する。本変形例は、上記実施形態の起伏ゲート１において、固定部を接地部の支持桁に設けるようにしたものである。さらに、本変形例は、上記実施形態の設置方法において、調整工程を固定工程の後に行うようにしたものである。ここでは、上記実施形態と異なる点について説明する。
【００３９】
本変形例の起伏ゲート１の設置方法では、順に、面形成工程、仮置き工程、固定工程、調整工程および打設工程が行われる。図１０に示すように、面形成工程では、上記実施形態の支持桁よりも上下流方向に長い支持桁２７が、基礎コンクリートＢから所定高さの位置で水平面方向に配置される。支持桁２７は、支持部１６および連結部材１８に対応する位置まで延びている。支持桁２７の上面には、上記実施形態と同様、複数のパネル２４が配置される。
【００４０】
また、支持桁２７の上面には、パネル２４よりも下流側の位置に、支持部１６および連結部材１８を固定するための固定部４０が設けられている。具体的に、支持桁２７の上面には、支持部１６用のベース板４１と，連結部材１８用のベース板４２とが配置されている。これらベース板４１，４２は、支持桁２７の上面に溶接によって固定されている。各ベース板４１，４２には、支持部１６および連結部材１８を固定するための植込みボルト４３，４４が設けられている。このように、固定部４０は、支持桁２７を接地部２０と共有している。
【００４１】
こうして、本変形例の面形成工程では、接地面２５が形成されると共に、固定部４０が形成される。続く、仮置き工程では、図１１に示すように、上記実施形態と同様、扉体１０が支持部１６と連結された状態で接地面２５に仮置きされる。また、仮置き工程では、支持部１６および連結部材１８が植込みボルト４３，４４に挿入されてベース板４１，４２と接する。つまり、支持部１６および連結部材１８はベース板４１，４２を介して支持桁２７に支持される。
【００４２】
続く、固定工程は、上記実施形態と同様、扉体１０が接地面２５に仮置きされた状態で、支持部１６および連結部材１８をベース板４１，４２に固定する工程である。固定工程では、固定ナット４５，４６を植込みボルト４３，４４に挿入し締め付ける。こうして、ベース板４１は、基礎コンクリートＢから所定高さの位置において支持部１６の下面１７と接触して配置される。そして、支持部１６および連結部材１８は、ボルトによってベース板４１，４２と結合される。なお、支持部１６とベース板４１とのボルト結合の構成は上記のものに限らない。例えば、ベース板にネジ孔を形成し、ボルトを支持部の上から挿入してネジ孔に締結するようにしてもよい。
【００４３】
続く、調整工程では、上記実施形態と同様、接触度合いの調整が行われ、次いで水平度の調整が行われる。つまり、接触度合いの調整では、調整ボルト２６によってパネル２４の配置高さを調整する。水平度の調整では、調整ナット２２によって支持桁２３の配置高さを調整する。これにより、接地面２５と扉体１０の下面１４との必要な接触度合いが確保されると共に、扉体１０、支持部１６および接地面２５の水平度が確保される。
【００４４】
続く、打設工程では、図示しないが、上記実施形態と同様に、接地部２０および固定部４０の設置箇所に無収縮モルタルを打設する。つまり、無収縮モルタルは、パネル２４の下面よりも高い位置で且つパネル２４の接地面２５（上面）よりも低い位置まで打設される。また、無収縮モルタルは、ベース板４１の下面よりも高い位置で且つベース板４１の上面よりも低い位置まで打設される。本変形例の打設工程では、上記実施形態と異なり、接地部２０および固定部４０の設置箇所にまとめて無収縮モルタルが打設される。以上により、本変形例においても、上記実施形態と同様の作用効果を奏する。
【００４５】
なお、本願に開示の技術は、上記実施形態および変形例において以下のように構成するようにしてもよい。
【００４６】
例えば、本願に開示の技術は、支持部１６の数量は１つまたは３つ以外の複数であってもよい。また、本願に開示の技術は、ベース板３４，４１，４２または連結部材１８を省略するようにしてもよい。
【００４７】
また、上記実施形態の打設工程では、第１打設工程と第２打設工程の２度に分けてコンクリート（無収縮モルタルＭ）を打設するようにしたが、本願に開示の技術は、固定工程の後に、接地部２０および固定部３０の設置箇所をまとめて打設するようにしてもよい。
【００４８】
また、上記実施形態および変形例の調整工程では、先ず、水平度の調整を行い、次いで接触度合いの調整を行うようにしてもよい。
【００４９】
また、上記実施形態において、調整工程のうち接触度合いの調整は固定工程の後（第２打設工程の前）に行うようにしてもよい。その場合、第１打設工程は、接触度合いの調整を行った後に第２打設工程とまとめて行う。このように、上記実施形態の調整工程は、接触度合いの調整は固定工程の前後どちらに行われてもよいが、水平度の調整は固定工程の前に行われる。
【００５０】
また、上記変形例において、調整工程のうち接触度合いの調整は固定工程の前（仮置き工程の後）に行うようにしてもよい。
【００５１】
また、上記実施形態および変形例では、調節ナット２２によって水平度の調整を行うようにしたが、これに代えて次のような調整方法でもよい。支持桁にネジ孔を設け、そのネジ孔に上からボルトを挿入しボルトの先端を基礎コンクリートＢの表面に押し当てる。ボルトのねじ込み長さを変更することによって支持桁の配置高さを調整し、これによって水平度の調整を行う。
【００５２】
また、上記実施形態および変形例では、アンカーボルト２１に上から固定ナットを挿入し、支持桁２３，２７を調整ナット２２と固定ナットで挟持するようにしてもよい。
【００５３】
また、上記実施形態では、浮体式の起伏ゲート１について説明したが、本願に開示の技術は、浸入水の浮力ではなく手動によって扉体１０を起立および倒伏させる手動式の起伏ゲートについても同様に適用することができる。
【産業上の利用可能性】
【００５４】
以上のように、本願に開示の技術は、起伏ゲートおよびその設置方法について有用である。
【符号の説明】
【００５５】
１        起伏ゲート
１０      扉体
１２      基端
１４      下面
１６      支持部
１７      下面
１８      連結部材
２０      接地部
２２      調整ナット（調整機構）
２３，２７      支持桁
２４      パネル
２５      接地面
２６      調整ボルト（調整機構）
３０，４０      固定部
３１      アンカーボルト（ボルト）
３４      ベース板
４１      ベース板
４３      植込みボルト（ボルト）
Ｂ        基礎コンクリート
【図１】
2019196659.tif 000003
【図２】
2019196659.tif 000004
【図３】
2019196659.tif 000005
【図４】
2019196659.tif 000006
【図５】
2019196659.tif 000007
【図６】
2019196659.tif 000008
【図７】
2019196659.tif 000009
【図８】
2019196659.tif 000010
【図９】
2019196659.tif 000011
【図１０】
2019196659.tif 000012
【図１１】
2019196659.tif 000013